(57)【要約】【課題】電話局とユーザー宅との距離が５キロメートル以上であってもデジタルデータを送受信することができるＡＤＳＬ信号分配装置を備えた通信システムを提供する。【解決手段】電話局１１に設けられた中継装置１２から電話ケーブル１３’によりユーザー宅の端末装置１７にデータを伝送する。電話ケーブル１３’を敷設する電柱１５にモデムを内蔵したＡＤＳＬ信号分配装置１６を装着する。中継装置１２とＡＤＳＬ信号分配装置１６を光ケーブル１４’によりデータの送受信可能に接続する。ＡＤＳＬ信号分配装置１６と端末装置１７を第２分岐電話ケーブル１３ｂにより接続する。【選択図】　　　図１
2004088727.tif 000002
【特許請求の範囲】
【請求項１】
通信基地局或いは通信中継局と、ユーザー宅の端末装置との間に敷設された銅線回線を用いて高周波のデジタルデータを伝送するようにした通信システムにおいて、
前記通信基地局或いは通信中継局とユーザー宅の端末装置との間の前記銅線回線における上流側の末端或いは途中にエックス・ディー・エス・エル（ｘＤＳＬ）信号を分配するｘＤＳＬ信号分配装置を設け、前記通信基地局或いは通信中継局と前記ｘＤＳＬ信号分配装置との間で前記デジタルデータを光ケーブル、或いは無線通信装置により伝送し、前記ｘＤＳＬ信号分配装置とユーザー宅の端末装置との間で前記デジタルデータを前記銅線回線により伝送するようにしたことを特徴とする通信システム。
【請求項２】
請求項１において、通信システムは、電話網とインターネット回線を介して伝送された音声信号とデジタルデータを通信基地局或いは通信中継局から銅線回線を通してユーザー宅の端末装置に伝送するようにしたものであって、
前記通信基地局或いは通信中継局とユーザー宅の端末装置との間の銅線回線における上流側の末端或いは途中にｘＤＳＬ信号を分配するｘＤＳＬ信号分配装置を設け、通信基地局或いは通信中継局と前記ｘＤＳＬ信号分配装置との間において、光ケーブル、或いは無線通信装置によりデジタルデータを伝送可能とし、前記ｘＤＳＬ信号分配装置とユーザー宅の端末装置との間で銅線回線によりデジタルデータを伝送するようにした通信システム。
【請求項３】
請求項２において、前記ｘＤＳＬ信号分配装置は、前記電話網に接続された電話ケーブルを敷設する電柱、地下埋設或いは地上に設置された通信中継局に装着され、光ケーブルから分岐された分岐光ケーブルからのデジタルデータを入出力する光成端箱と、該光成端箱に接続されたメディアコンバータと、該メディアコンバータに接続されたルータと、該ルータに接続された集合型ｘＤＳＬモデムと、該集合型ｘＤＳＬモデムに接続され、かつ前記電話ケーブルから分岐された第１分岐電話ケーブルからの音声信号と、前記デジタルデータとを重畳するミキサーとを備え、このミキサーから端子台を介して音声信号及びデジタルデータを第２分岐電話ケーブルを介して前記端末装置に伝送可能に構成され、これらの機器は収納ケース内に収容されている通信システム。
【請求項４】
請求項３において、前記ｘＤＳＬ信号分配装置の収納ケースの収容室の下部には端子台が収容され、その端子台の上方には電源ユニットが収容され、その上方には集合型ｘＤＳＬモデムが収容され、その上方には光成端箱、メディアコンバータ及びルータが収容され、前記端子台にはミキサーが埋設されている通信システム。
【請求項５】
請求項４において、収納ケースの底板には第１分岐電話ケーブル、第２分岐電話ケーブル、分岐光ケーブル及び電源ケーブルが挿通されている通信システム。
【請求項６】
請求項３〜５のいずれか一項において、前記ｘＤＳＬ信号分配装置と通信基地局或いは通信中継局との間、上流側のｘＤＳＬ信号分配装置と下流側のｘＤＳＬ信号分配装置との間のデジタルデータの伝送は、無線通信装置により行われるようにしている通信システム。
【請求項７】
請求項３〜６のいずれか一項において、前記ｘＤＳＬ信号分配装置の収納ケースには、そのケース本体の表面の少なくとも一部をそのケース本体の表面との間に隙間を介して覆うとともに、前記収納ケースの設置される環境からケース本体内への熱の移動を抑制する遮熱板を設けた通信システム。
【請求項８】
請求項７において、隣接配置される前記遮熱板の間に、その遮熱板と前記ケース本体の表面との間の隙間と、前記遮熱板の外部との空気の流通を許容する換気手段を設けた通信システム。
【請求項９】
請求項７または８において、前記ケース本体の表面の少なくとも一部にケース本体内部で発生する熱を、そのケース本体の外部に放出する放熱手段を設けた通信システム。
【請求項１０】
請求項７〜９のいずれか一項において、前記収納ケースの設置される環境の温度状態と前記ケース本体内部の温度状態とに応じて、ケース本体内の熱を外部に放出する放熱状態と、ケース本体内の熱の外部への放出を抑制する蓄熱状態とを制御する熱移動制御手段を有する通信システム。
【請求項１１】
請求項７〜１０のいずれか一項において、前記ケース本体は、前記ｘＤＳＬ信号分配装置の構成機器を固定する固定面を有し、前記ケース本体における固定面の外側面には放熱室を設け、その放熱室の前記固定面とは異なる面を区画する隔壁には、その放熱室内外の空気の流通を許容する換気口を設けた通信システム。
【請求項１２】
請求項７〜１１のいずれか一項において、前記ケース本体内の気密性を保持する気密保持手段を有する通信システム。
【請求項１３】
請求項７〜１２のいずれか一項において、前記ケース本体内に侵入した空気中の不純物を除去する除去手段を有する通信システム。
【請求項１４】
請求項１〜１３のいずれか一項に記載の通信システムに用いるｘＤＳＬ信号分配装置。
【発明の詳細な説明】
【０００１】
【発明の属する技術分野】
本発明は、電話用銅線ケーブルを使用する高速デジタル伝送方式であるエックス・ディー・エス・エル〔ｘＤＳＬ（ｘＤｉｇｉｔａｌ・Ｓｕｂｓｃｒｉｂｅｒ・Ｌｉｎｅ）方式の通信システム及びそれに用いるｘＤＳＬ信号分配装置に関するものである。
【０００２】
【従来の技術】
近年、インターネット通信網の普及は目覚しく、送受信できるデジタルデータの量と、デジタルデータの伝送速度の高速化が前述したｘＤＳＬによって図られている。ｘＤＳＬのうち例えば最もポピュラーなＡＤＳＬ（Ａｓｙｍｍｅｔｒｉｃ・Ｄｉｇｉｔａｌ・Ｓｕｂｓｃｒｉｂｅｒ・Ｌｉｎｅ）は、アイ・エス・ディ・エヌ〔ＩＳＤＮ（Ｉｎｔｅｇｒａｔｅｄ・Ｓｅｒｖｉｃｅｓ・Ｄｉｇｉｔａｌ・Ｎｅｔｗｏｒｋ）〕と比較してデータの伝送速度が速く、その普及が顕著である。このＡＤＳＬを利用したインターネット通信システムにおいて、図１８に示すように電話局１１の中継装置１２には電話網１０の電話ケーブル１３とインターネット回線の光ケーブル１４が接続されている。中継装置１２から電話ケーブル１３’が敷設されている。図１９に示す電柱１５から電話ケーブル１３’に分岐接続された分岐電話ケーブル１３ａを介してユーザー宅の電話機やパソコン等の端末装置１７に音声信号やデジタルデータを伝達するようになっている。前記中継装置１２は、電話ケーブル１３と電話ケーブル１３’とを接続する交換機２１、モデムを内蔵したＡＤＳＬ信号分配装置２０１及び主配電盤（ＭＤＦ：Ｍａｉｎ・Ｄｉｓｔｒｉｂｕｔｅｄ・Ｆｒａｍｅ）２２を備えている。又、中継装置１２は光ケーブル１４とＡＤＳＬ信号分配装置２０１との間で通信の制御を行うための光分岐箱、光成端箱、メディアコンバータ及びルータ等からなる通信制御装置２０２を備えている。
【０００３】
そして、電話網１０とインターネット回線から電話局１１に伝送された音声信号と、文字や画像等のデジタルデータとを中継装置１２を通して電話ケーブル１３’及び分岐電話ケーブル１３ａから端末装置１７に伝送するようにしている。
【０００４】
【発明が解決しようとする課題】
ところが、上記従来のインターネット通信システムにおいては、電話局１１の中継装置１２とユーザー宅の端末装置１７との間のデジタルデータのインターネット通信を、電話ケーブル１３’及び分岐電話ケーブル１３ａを使用して行っている。このため、高周波のデジタルデータの減衰が激しく電話局１１の中継装置１２から端末装置１７までの距離が３〜５キロメートル以下でないと、デジタルデータの送受信ができないという問題があった。従って、電話局１１から離れた地域では、ＡＤＳＬ方式のインターネット通信のメリットを享受できないという問題があった。
【０００５】
また、ユーザー宅の所在地によっては、電話局１１とユーザー宅との間に、音声信号の伝送品質を安定化させるために、電話局１１と光ケーブルで接続された中継局が介在されていることがある。このような、いわゆる光収容地域では、前記電話局１１と中継局との間に前記光ケーブルに代替可能な銅線ケーブルが存在しないと、ＡＤＳＬ方式のインターネット通信は利用できない。しかも、仮に代替可能な銅線ケーブルが存在したとしても、その銅線ケーブルの総延長が３〜５ｋｍを超えると、前述のようなデジタルデータの減衰は避けられない。
【０００６】
これに対して、前記電話局１１と各ユーザー宅とを、全て光ケーブルで接続するＦＴＴＨ（Ｆｉｂｅｒ・ｔｏ・ｔｈｅ・Ｈｏｍｅ）方式の通信方法も提案されている。現に、光ケーブルを利用した電話網も徐々に整備されつつある。しかしながら、このＦＴＴＨ方式を採用しようとしても、いわゆる「ラスト・ワン・マイル」問題が大きな壁となっている。すなわち、従来からある通信インフラを大きく改変する必要があるだけでなく、各ユーザー宅においても加入者交換機を光電変換機能を有する交換機に、そして引き込み配線を光ケーブルに変更する必要があり、膨大な資金と労力を必要とするという問題があった。
【０００７】
ところで、電話局１１の中継装置１２に設けられたモデムを内蔵した前記ＡＤＳＬ信号分配装置２０１は、例えば縦、横及び奥行寸法が１．８ｍ〜２．０ｍと非常に大型で定格電力も高い。このＡＤＳＬ信号分配装置２０１は、その動作性能を確保するために、炎天下のような高温環境や寒冷地における低温環境を避け、できるだけ穏やかな環境に設置する必要があった。また、ＡＤＳＬ信号分配装置２０１は、多湿条件下では結露の発生により、ほこり等の浮遊物の多い環境下ではほこり等の異物の付着により、誤動作を発生するおそれがある。
【０００８】
このため、ＡＤＳＬ信号分配装置２０１は、空調装置の完備した穏やかな温湿度条件で清浄な環境の実現可能な電話局舎内に設置されている。従って、大型のＡＤＳＬ信号分配装置２０１を、電話ケーブル１３’を敷設する電柱１５に装着することは到底考えられないことであった。
【０００９】
本願の発明者はモデムを内蔵したＡＤＳＬ信号分配装置の集積度を高めることにより小型化し、かつ使用環境の厳しい屋外でも使用可能なＡＤＳＬ信号分配装置の開発に成功した。
【００１０】
本発明は、上記の小型化されたＡＤＳＬ信号分配装置の開発によって成されたものである。その目的は、電話局等の通信基地局からユーザー宅の端末装置までの銅線回線の距離が３〜５キロメートル以上の場合でも高周波デジタルデータの伝送を行うことができる通信システム及びそれに用いるｘＤＳＬ信号分配装置を提供することにある。
【００１１】
【課題を解決するための手段】
上記問題点を解決するために、請求項１に記載の発明は、通信基地局或いは通信中継局と、ユーザー宅の端末装置との間に敷設された銅線回線を用いて高周波のデジタルデータを伝送するようにした通信システムにおいて、前記通信基地局或いは通信中継局とユーザー宅の端末装置との間の前記銅線回線における上流側の末端或いは途中にエックス・ディー・エス・エル（ｘＤＳＬ）信号を分配するｘＤＳＬ信号分配装置を設け、前記通信基地局或いは通信中継局と前記ｘＤＳＬ信号分配装置との間で前記デジタルデータを光ケーブル、或いは無線通信装置により伝送し、前記ｘＤＳＬ信号分配装置とユーザー宅の端末装置との間で前記デジタルデータを前記銅線回線により伝送するようにしたことを要旨とする。
【００１２】
請求項２に記載の発明は、請求項１において、通信システムは、電話網とインターネット回線を介して伝送された音声信号とデジタルデータを通信基地局或いは通信中継局から銅線回線を通してユーザー宅の端末装置に伝送するようにしたものであって、前記通信基地局或いは通信中継局とユーザー宅の端末装置との間の銅線回線における上流側の末端或いは途中にｘＤＳＬ信号を分配するｘＤＳＬ信号分配装置を設け、通信基地局或いは通信中継局と前記ｘＤＳＬ信号分配装置との間において、光ケーブル、或いは無線通信装置によりデジタルデータを伝送可能とし、前記ｘＤＳＬ信号分配装置とユーザー宅の端末装置との間で銅線回線によりデジタルデータを伝送するようにしたことを要旨とする。
【００１３】
請求項３に記載の発明は、請求項２において、前記ｘＤＳＬ信号分配装置は、前記電話網に接続された電話ケーブルを敷設する電柱、地下埋設或いは地上に設置された通信中継局に装着され、光ケーブルから分岐された分岐光ケーブルからのデジタルデータを入出力する光成端箱と、該光成端箱に接続されたメディアコンバータと、該メディアコンバータに接続されたルータと、該ルータに接続された集合型ｘＤＳＬモデムと、該集合型ｘＤＳＬモデムに接続され、かつ前記電話ケーブルから分岐された第１分岐電話ケーブルからの音声信号と、前記デジタルデータとを重畳するミキサーとを備え、このミキサーから端子台を介して音声信号及びデジタルデータを第２分岐電話ケーブルを介して前記端末装置に伝送可能に構成され、これらの機器は収納ケース内に収容されていることを要旨とする。
【００１４】
請求項４に記載の発明は、請求項３において、前記ｘＤＳＬ信号分配装置の収納ケースの収容室の下部には端子台が収容され、その端子台の上方には電源ユニットが収容され、その上方には集合型ｘＤＳＬモデムが収容され、その上方には光成端箱、メディアコンバータ及びルータが収容され、前記端子台にはミキサーが埋設されていることを要旨とする。
【００１５】
請求項５に記載の発明は、請求項４において、収納ケースの底板には第１分岐電話ケーブル、第２分岐電話ケーブル、分岐光ケーブル及び電源ケーブルが挿通されていることを要旨とする。
【００１６】
請求項６に記載の発明は、請求項３〜５のいずれか一項において、前記ｘＤＳＬ信号分配装置と通信基地局或いは通信中継局との間、上流側のｘＤＳＬ信号分配装置と下流側のｘＤＳＬ信号分配装置との間のデジタルデータの伝送は、無線通信装置により行われるようにしていることを要旨とする。
【００１７】
請求項７に記載の発明は、請求項３〜６のいずれか一項において、前記ｘＤＳＬ信号分配装置の収納ケースには、そのケース本体の表面の少なくとも一部をそのケース本体の表面との間に隙間を介して覆うとともに、前記収納ケースの設置される環境からケース本体内への熱の移動を抑制する遮熱板を設けたことを要旨とする。
【００１８】
請求項８に記載の発明は、請求項７において、隣接配置される前記遮熱板の間に、その遮熱板と前記ケース本体の表面との間の隙間と、前記遮熱板の外部との空気の流通を許容する換気手段を設けたことを要旨とする。
【００１９】
請求項９に記載の発明は、請求項７または８において、前記ケース本体の表面の少なくとも一部にケース本体内部で発生する熱を、そのケース本体の外部に放出する放熱手段を設けたことを要旨とする。
【００２０】
請求項１０に記載の発明は、請求項７〜９のいずれか一項において、前記収納ケースの設置される環境の温度状態と前記ケース本体内部の温度状態とに応じて、ケース本体内の熱を外部に放出する放熱状態と、ケース本体内の熱の外部への放出を抑制する蓄熱状態とを制御する熱移動制御手段を有することを要旨とする。
【００２１】
請求項１１に記載の発明は、請求項７〜１０のいずれか一項において、前記ケース本体は、前記ｘＤＳＬ信号分配装置の構成機器を固定する固定面を有し、前記ケース本体における固定面の外側面には放熱室を設け、その放熱室の前記固定面とは異なる面を区画する隔壁には、その放熱室内外の空気の流通を許容する換気口を設けたことを要旨とする。
【００２２】
請求項１２に記載の発明は、請求項７〜１１のいずれか一項において、前記ケース本体内の気密性を保持する気密保持手段を有することを要旨とする。
請求項１３に記載の発明は、請求項７〜１２のいずれか一項において、前記ケース本体内に侵入した空気中の不純物を除去する除去手段を有することを要旨とする。
【００２３】
請求項１４に記載の発明は、請求項１〜１３のいずれか一項に記載の通信システムに用いるｘＤＳＬ信号分配装置を要旨とする。
【００２４】
【発明の実施の形態】
（第１実施形態）
以下、本発明を電話網とインターネット回線を有するＮＴＴ西日本又は東日本のインターネット通信システムに具体化した第１実施形態を、図１〜図５に基づいて説明する。
【００２５】
この第１実施形態は、エックス・ディー・エス・エル〔ｘＤＳＬ（ｘＤｉｇｉｔａｌ・Ｓｕｂｓｃｒｉｂｅｒ・Ｌｉｎｅ）方式のうち、ＡＤＳＬ（Ａｓｙｍｍｅｔｒｉｃ・Ｄｉｇｉｔａｌ・Ｓｕｂｓｃｒｉｂｅｒ・Ｌｉｎｅ）方式に具体化したインターネット通信システムである。なお、このシステムは電話サービスと高速データ通信サービスをそれぞれ同一の電話ケーブルを用いて、かつ異なる周波数帯域で行うものである。
【００２６】
図１はこのインターネット通信システムの概略構成を示す回路図である。通信基地局としての電話局１１に配設された中継装置１２には、銅線回線としての電話ケーブル１３と光ケーブル１４が接続されている。ここで、電話局１１は、端局や分局程度の局階位の電話局であり、主に市内交換機を有する電話局である。電話網１０とインターネット回線から電話ケーブル１３及び光ケーブル１４を経て中継装置１２に伝送された音声信号と、文字や画像等の高周波のデジタルデータは、該中継装置１２からユーザー宅側の電話ケーブル１３’及び光ケーブル１４’から後述するＡＤＳＬ信号分配装置１６に伝送される。そして、これら音声信号とデジタルデータとは、ＡＤＳＬ信号分配装置１６から端末装置１７に伝送されるようにしている。
【００２７】
前記中継装置１２に接続された電話ケーブル１３’と光ケーブル１４’は、多数の電柱１５〜１５によって所定の収容地域に敷設され、特定の電柱１５にはＡＤＳＬ信号分配装置１６が装着されている。該ＡＤＳＬ信号分配装置１６は電話ケーブルによって端末装置１７に接続されている。
【００２８】
前記中継装置１２は交換機２１を備え、交換機２１には主配電盤２２が接続され、主配電盤２２から電話ケーブル１３’を通して音声信号がＡＤＳＬ信号分配装置１６へ伝送されるようにしている。一方、中継装置１２内にはインターネット回線に接続された光ケーブル１４と、ＡＤＳＬ信号分配装置１６に接続された光ケーブル１４’との間で通信の制御を行うための通信制御装置１８が設けられている。この通信制御装置１８は図示しないが、光分岐箱、光成端箱、メディアコンバータ及びルータ等から構成されている。そして、光ケーブル１４’を介してデジタルデータをＡＤＳＬ信号分配装置１６に伝送できるようになっている。
【００２９】
図２に示すように電柱１５の近傍にはケーブル接続箱２５が設けられ、電話ケーブル１３から分岐された銅線回線としての第１分岐電話ケーブル１３ａは、図３に示すようにＡＤＳＬ信号分配装置１６に設けた後述するミキサー３２に音声信号を供給するようになっている。一方、図２に示すように光ケーブル１４’には光分岐箱２７が設けられ、光ケーブル１４’から分岐された分岐光ケーブル１４ａは、図３に示すようにＡＤＳＬ信号分配装置１６内に設けた構成機器としての光成端箱２８に接続されている。この光成端箱２８には構成機器としてのメディアコンバータ２９が接続され、構成機器としてのメディアコンバータ２９には構成機器としてのルータ３０が接続されている。前記ルータ３０には構成機器としての集合型ＡＤＳＬモデム３１が接続されている。この集合型ＡＤＳＬモデム３１には構成機器としてのミキサー３２が接続され、ミキサー３２は端子台２６に接続されている。
【００３０】
前記ＡＤＳＬ信号分配装置１６内には構成機器としての電源ユニット３３が設けられ、この電源ユニット３３には電源３５から電源ケーブル３４を介して、電力が供給されるようになっている。前記ＡＤＳＬ信号分配装置１６内には避雷器３６が設けられている。
【００３１】
前記端子台２６は銅線回線としての第２分岐電話ケーブル１３ｂによってユーザー宅の端末装置１７に接続され、端末装置１７に音声信号及びデジタルデータを伝送するようになっている。
【００３２】
次に、図４及び図５に基づいて前記ＡＤＳＬ信号分配装置１６の内部の各構成機器の配置構造について説明する。
図５に示すように、四角箱状に形成された収納ケース３７の前面（図５の左側面）には蓋板３８が設けられ、背面（図５の右側面）には換気装置３９が設けられている。図４に示すように前記収納ケース３７の最下部には端子台２６が配設されている。この端子台２６の上部には前記電源ユニット３３が配設され、この電源ユニット３３の上方には集合型ＡＤＳＬモデム３１が配設されている。又、この集合型ＡＤＳＬモデム３１の上方には前記光成端箱２８、メディアコンバータ２９及びルータ３０が水平方向に配設されている。前記収納ケース３７の底板には前記第１及び第２分岐電話ケーブル１３ａ、１３ｂ、分岐光ケーブル１４ａ、電源ケーブル３４をシール状態で導入するための通路（図示略）が設けられている。
【００３３】
図２に示すように、前記端末装置１７は第２分岐電話ケーブル１３ｂからの音声信号とデジタル信号を分離するためのＰＯＴＳスプリッタ（Ｐｌａｉｎ　Ｏｌｄ　Ｔｅｌｅｐｈｏｎｅ　Ｓｅｒｖｉｓｅ　Ｓｐｌｉｔｔｅｒ）４１を備えている。このスプリッタ４１には電話機４２とＡＤＳＬモデム４３が接続されている。ＡＤＳＬモデム４３には、パーソナルコンピュータ（パソコン）４４が接続されている。そして、このパソコン４４のキーボード等の操作部を操作することにより所望するデジタルデータの送受信を図示しないプロバイダやユーザー宅間で行うことができるようになっている。
【００３４】
次に、前記のように構成したインターネット通信システムについてその動作を説明する。
図１において、特定のプロバイダからインターネット回線を通して中継装置１２に音声信号とデジタルデータが供給され、この中継装置１２から端末装置１７に音声信号とデジタルデータが供給される場合について説明する。
【００３５】
図１において電話局１１の中継装置１２には電話網１０及び電話ケーブル１３を介して音声信号が供給される。一方、中継装置１２内の通信制御装置１８には、プロバイダからインターネット回線及び光ケーブル１４を介して配信された文字あるいは画像等のデジタル信号が入力される。これらのデジタル信号は、図２，３において光ケーブル１４’を介して光分岐箱２７から分岐光ケーブル１４ａを通ってＡＤＳＬ信号分配装置１６内の光成端箱２８に入力される。この光成端箱２８を通ったデジタル信号はメディアコンバータ２９によって光デジタル信号から電気デジタル信号に変換され、ルータ３０によって電気デジタル信号が集合型ＡＤＳＬモデム３１に伝送される。この集合型ＡＤＳＬモデム３１に伝送された電気デジタル信号と、前記第１分岐電話ケーブル１３ａからの音声信号とは、ミキサー３２により重畳されて端子台２６に伝送される。この端子台２６から第２分岐電話ケーブル１３ｂを通して音声信号及び電気デジタル信号が端末装置１７に伝送される。図２に示す端末装置１７においてはＰＯＴＳスプリッタ４１によって音声信号が電話機４２に伝送され、電気デジタル信号はＡＤＳＬモデム４３に入力され、パソコン４４に伝送される。
【００３６】
上記第１実施形態のインターネット通信システムによれば、以下のような特徴を得ることができる。
（１）上記第１実施形態では、前記電柱１５に対しＡＤＳＬ信号分配装置１６を装着し、図１に示す電話局１１から電話ケーブル１３’、図２に示す第１分岐電話ケーブル１３ａ、光ケーブル１４’及び分岐光ケーブル１４ａを介してＡＤＳＬ信号分配装置１６に音声信号及び光デジタル信号を伝送する。又、図３においてＡＤＳＬ信号分配装置１６から第２分岐電話ケーブル１３ｂを介して端末装置１７のパソコン４４に音声信号と電気デジタル信号を伝送するようにした。このため図１に示す電話局１１から電柱１５に装着されたＡＤＳＬ信号分配装置１６までの間の電気デジタル信号の伝送を光ケーブル１４によってほとんど減衰することなくＡＤＳＬ信号分配装置１６に供給することができる。又、このＡＤＳＬ信号分配装置１６から端末装置１７までの距離は、デジタルデータ通信が可能な所定の距離以内に設定することができるので、電話局１１から端末装置１７までの距離が５キロメートル以上であっても高周波のデジタルデータの送受信が可能となる。しかも、この通信システムでは、電柱１５に新たにＡＤＳＬ信号分配装置１６を配設すること以外は、おおむね従来の通信インフラストラクチャーを利用している。このため、この通信システムは、それほど大きな投資や労力を費やすことなく、いわゆる「ラスト・ワン・マイル」問題を解決するための１つの方策を提示している。
【００３７】
（２）上記実施形態では、図４に示す収納ケース３７の収容室の下部に端子台２６を配設した。このため、第１，２分岐電話ケーブル１３ａ，１３ｂ、分岐光ケーブル１４ａ及び電源ケーブル３４を収納ケース３７の下部から導出することができ、各ケーブルと収納ケース３７との水密性を確保することが容易となる。
【００３８】
（３）上記実施形態では、図４に示す収納ケース３７の収容室下部の端子台２６の上方に電源ユニット３３を配設した。又、電源ユニット３３の上方に集合型ＡＤＳＬモデム３１を配設し、集合型ＡＤＳＬモデム３１の上方に光成端箱２８、メディアコンバータ２９及びルータ３０を配設した。このため、各部品の配置構成をコンパクト化でき、ＡＤＳＬ信号分配装置１６の小型化を図ることができる。
【００３９】
（第２実施形態）
次に、本発明を、電話局１１とＡＤＳＬ信号分配装置１６の間に光ケーブル１４’が敷設されていない通信ラインにおいて具体化した第２実施形態を図６及び図７に基づいて説明する。なお、前記第１実施形態と、特に変更のない部分については、部材番号を引用して、詳細な説明を省略する。
【００４０】
図６に示すように、この第２実施形態では、電話局１１の中継装置１２と、ＡＤＳＬ信号分配装置１６との間、及びＡＤＳＬ信号分配装置１６，１６’相互間に対し無線通信装置４５を装着したものである。中継装置１２には送受信アンテナ４５ａが装着され、ＡＤＳＬ信号分配装置１６には送受信アンテナ４５ｂが装着されている。
【００４１】
ＡＤＳＬ信号分配装置１６の内部には、前記光成端箱２８、メディアコンバータ２９及びルータ３０に代えて、前記送受信アンテナ４５ｂと集合型ＡＤＳＬモデム３１を接続する送受信機４７Ａが収容されている。そして、前記電話局１１の中継装置１２とＡＤＳＬ信号分配装置１６との間でデータの無線通信を行うようになっている。又、このＡＤＳＬ信号分配装置１６と下流側のＡＤＳＬ信号分配装置１６’には無線通信を行うための送受信アンテナ４５ｃ，４５ｄと送受信機４７Ａ，４７Ｂが設けられている。
【００４２】
そして、図７に示すように、ラインの末端局用のＡＤＳＬ信号分配装置１６には、一つの送受信アンテナ４５ｅと一台の送受信機４７が装着されている。そして、末端局のＡＤＳＬ信号分配装置１６と、その上流側のＡＤＳＬ信号分配装置１６との間でデータの無線通信を行うようになっている。
【００４３】
従って、上記第２実施形態のインターネット通信システムによれば、以下のような特徴を得ることができる。
（４）　上記第２実施形態では、新たに光ケーブル１４’を敷設する必要がないので、例えば僻地における通信システムの構築を早期に行うことができる。
【００４４】
（第３実施形態）
次に、本発明の通信システムにおいて、端子台２６の内部にミキサー３２を内蔵した具体化例である第３実施形態について、図８〜図１０に基づいて説明する。なお、前記各実施形態と、特に変更のない部分については、部材番号を引用して、詳細な説明を省略する。
【００４５】
図８〜図１０に示すように、この第３実施形態では、端子台２６のミキサー３２を内蔵するベース部２６ａの左右両端部には、第１分岐電話ケーブル１３ａ及び第２分岐電話ケーブル１３ｂを接続する第１及び第２端子挿入孔５１，５２が設けられている。端子台２６の上部に一体形成された突条部２６ｂの左側面には、集合型ＡＤＳＬモデム３１に接続される第３端子挿入孔５３が設けられている。突条部２６ｂの上面には、第１及び第２係合凹部５４，５５が所定の間隔をおいて上面に開口するように形成されている。第１係合凹部５４はリード線５６によって第３端子挿入孔５３と接続され、第２係合凹部５５はリード線５７によって前記ミキサー３２と接続されている。前記第１，２係合凹部５４，５５には逆Ｕ字状のスイッチ５８が係合又は離脱可能に設けられている。
【００４６】
従って、上記第３実施形態のインターネット通信システムによれば、以下のような特徴を得ることができる。
（５）　上記第３実施形態によれば、ＡＤＳＬ通信の契約したユーザー宅の端末装置１７と対応する両係合凹部５４，５５にスイッチ５８を接続することによって契約ユーザー宅にのみにデジタルデータを伝送することが可能となる。
【００４７】
（６）　上記第３実施形態によれば、ＡＤＳＬ信号分配装置１６内の機器の収納スペースを小さくでき、小型・軽量化を図ることができる。
（第４実施形態）
次に、本発明の通信システムにおいて、より過酷な環境に耐え得る収納ケース６０を用いた具体化例である第４実施形態について、その収納ケース６０の詳細構成を中心に、図１１〜図１６に基づいて説明する。なお、前記各実施形態と、特に変更のない部分については、部材番号を引用して、詳細な説明を省略する。
【００４８】
図１１に示すように、この第４実施形態では、第１分岐電話ケーブル１３ａは、端子台２６に形成された端子２６ｃ及び内部信号線６１を介して、ＡＤＳＬ信号分配装置１６に設けたミキサー３２に接続されている。これにより、電話局１１の中継装置１２からミキサー３２に、音声信号が供給される。
【００４９】
また、分岐光ケーブル１４ａは、端子台２６に形成された端子２６ｄ及び内部信号線６１を介して、ＡＤＳＬ信号分配装置１６内に設けられた光成端箱２８に接続されている。これにより、前記中継装置１２から光成端箱２８に、デジタルデータが供給される。
【００５０】
この光成端箱２８にはメディアコンバータ２９が接続され、メディアコンバータ２９にはルータ３０が接続されている。ルータ３０には集合型ＡＤＳＬモデム３１が接続され、集合型ＡＤＳＬモデム３１にはミキサー３２が接続されている。そして、ミキサー３２は、内部信号線６１を介して端子台２６の端子２６ｅに接続されている。このミキサー３２において、前記音声信号とデジタルデータとが重畳される。
【００５１】
端子台２６の端子２６ｅには、第２分岐電話ケーブル１３ｂが接続され、第２分岐電話ケーブル１３ｂはユーザー宅の端末装置１７に接続され、端末装置１７に音声信号及びデジタルデータが伝送される。
【００５２】
前記ＡＤＳＬ信号分配装置１６内には、電源ユニット３３が設けられている。この電源ユニット３３には、電源３５から電源ケーブル３４及び端子台２６の端子２６ｆを介して、電力が供給されるようになっている。前記ＡＤＳＬ信号分配装置１６内には、避雷器３６が設けられている。
【００５３】
次に、前記ＡＤＳＬ信号分配装置１６及び端子台２６を収容する収納ケース６０の構造について、図１２〜図１６に基づいて説明する。
図１２及び図１３に示すように、収納ケース６０は、ブラケット６２を介して電柱１５に架設される。収納ケース６０は、略四角箱状に形成されたケース本体６３と、そのケース本体６３の上面、前面、背面及び両側面を覆う遮熱板６４とからなっている。
【００５４】
前記遮熱板６４は、前記ケース本体６３の底面を除く各表面を所定の隙間６５を介して、ケース本体６３に対して着脱自在に取着されている。遮熱板６４は、外表面側のセラミック板製の断熱材６６とケース本体６３側のステンレス鋼板製の補強材６７とが、断熱材６６と補強材６７との熱膨張の差を吸収可能な接着剤により貼り合わせたものとなっている。ここで、隣接配置される遮熱板６４は、換気手段をなす所定の間隙６８をおいて互いに離間するように配置されている。この間隙６８の存在により、ケース本体６３と遮熱板６４との間の隙間６５内の空気に対流が生じたときに、その内部の空気が遮熱板６４の外部の空気と交換を可能にしている。
【００５５】
前記ケース本体６３は、箱状をなし、機器収容室７０と端子収容室７１との２室に区画された筐体７２と、前記機器収容室７０の開口部７３を覆う蓋板７４と、前記端子収容室７１の開口部７５を覆う開閉扉７６とからなっている。前記機器収容室７０内には端子台２６を除く前記ＡＤＳＬ信号分配装置１６が収容され、端子収容室７１には前記端子台２６が収容される。
【００５６】
図１５に示すように、前記端子収容室７１は、収納ケース６０において、機器収容室７０の下方に配設されている。前記開閉扉７６は、この端子収容室７１の前面（図１５の右側面）に開閉自在に設けられている。端子収容室７１の下面には、内部に前記第１及び第２分岐電話ケーブル１３ａ、１３ｂ、分岐光ケーブル１４ａ及び電源ケーブル３４が挿通されるダクト７７が接続されている。また、端子収容室７１の上面には、端子台２６の各端子２６ｃ〜２６ｆに接続され、前記ケース本体６３内に引き込まれる内部信号線６１を挿通するための貫通孔７８が穿設されている。そして、各貫通孔７８には、気密保持手段の一部をなすパッキン７９が装着されている。このパッキン７９は、貫通孔７８の開口縁と内部信号線６１との間の隙間をシールして、機器収容室７０内の気密性を保持する役割を担っている。
【００５７】
図１５及び図１６に示すように、前記蓋板７４の周縁と、機器収容室７０の開口部７３の周縁との間には、気密保持手段の一部をなすパッキン８０が介在されている。このパッキン８０は、筐体７２と蓋板７４との間の隙間をシールして、機器収容室７０内の気密性を保持する役割を担っている。
【００５８】
図１４〜図１６に示すように、前記筐体７２における両側壁７２ａ及び背面壁７２ｂは、中空構造となっている。この筐体７２の中空部８１には、封入媒体としてのアルコール系の高分子化合物溶液からなる熱媒体８２が封入されている。この熱媒体８２は、温度が１０℃以下ではゲル状になり凝固相を呈し、３０℃以上ではゾル状となって流動相に移行する。この熱媒体８２は、４０℃以上の温度ではさらに粘度が低下し、前記中空部８１内を盛んに流動するようになっている。前記中空部８１の下部には、その中空部８１の上部に比べて開口断面積の拡大された液溜まり部８３が形成されている。そして、中空部８１には、熱媒体８２のゲル化時における体積膨張を考慮して、その中空部８１の上部に所定の空間が形成される量の熱媒体８２が封入されている。
【００５９】
また、前記筐体７２の両側壁７２ａの外側面には、放熱手段としての放熱フィン８４が、筐体７２の上下方向に延びるように多数立設されている。
図１５及び図１６に示すように、前記筐体７２の背面壁７２ｂの内側面は、ＡＤＳＬ信号分配装置１６の光成端箱２８、メディアコンバータ２９、ルータ３０、集合型ＡＤＳＬモデム３１及び電源ユニット３３を固定する固定面８５となっている。この固定面８５には、炭素繊維シートからなる熱伝達部材としての伝熱シート８６が接合されている。前記光成端箱２８、メディアコンバータ２９、ルータ３０、集合型ＡＤＳＬモデム３１及び電源ユニット３３の各装置は、伝熱シート８６を介して固定面８５に固定されている。
【００６０】
ここで、図１４及び図１５に示すように、前記機器収容室７０の最下部（端子収容室７１側）には前記電源ユニット３３が配設され、この電源ユニット３３の上方には集合型ＡＤＳＬモデム３１が配設されている。また、この集合型ＡＤＳＬモデム３１の上方には前記光成端箱２８、メディアコンバータ２９及びルータ３０が水平方向に配設されている。そして、前記伝熱シート８６は、前記各構成機器の背面に接合するとともに、前記光成端箱２８、メディアコンバータ２９及びルータ３０の上面を覆うように設けられている。
【００６１】
前記筐体７２の背面（図１５の右側面、図１６の上側面）には換気装置８７が設けられている。この換気装置８７は、筐体７２の背面壁７２ｂの外側面上に区画された放熱室８８と、その放熱室８８における前記背面壁７２ｂと対向する隔壁８９と、その隔壁８９の上部及び下部に設けられた換気口９０とからなっている。前記背面壁７２ｂの外壁面上には、放熱フィン８４が、筐体７２の上下方向に延びるように多数立設されている。
【００６２】
従って、上記第４実施形態のインターネット通信システムによれば、以下のような特徴を得ることができる。
（７）　上記第４実施形態の収納ケース６０では、ＡＤＳＬ信号分配装置１６を収容するケース本体６３の底面を除く表面を、隙間６５を介して遮熱板６４で覆っている。そして、この遮熱板６４により、収納ケース６０の設置される環境からケース本体６３内への熱の移動を抑制するようにしている。このため、例えば直射日光に起因する輻射熱により、ケース本体６３の内部の温度が過剰に高められることが抑制される。一方、ＡＤＳＬ信号分配装置１６の運転に伴って、そのＡＤＳＬ信号分配装置１６の各構成機器が発熱して、ケース本体６３の内部の温度が高くなると、ケース本体６３の表面の温度が高くなる。この表面の温度上昇に伴って、ケース本体６３の表面と遮熱板６４との間の隙間６５の空気が対流するようになる。これにより、表面の近傍において、暖められた高温の空気の滞留が抑制され、低温の空気との入れ換えにより、低温の空気がケース本体６３の表面に接触される。従って、ケース本体６３内部の熱がケース本体６３の外部に放出され、その内部の温度がＡＤＳＬ信号分配装置１６の動作に支障を来すほどには上昇しないようにすることができる。従って、使用環境の厳しい屋外でも、内部に収容したＡＤＳＬ信号分配装置１６を穏やかな動作環境下に保つことができる。
【００６３】
（８）　上記第４実施形態の収納ケース６０では、遮熱板６４が断熱材６６とその断熱材６６の強度を補うための補強材６７とを有している。このため、外部の高温や低温といった温度環境がケース本体６３内に及ぼす影響を低減することができ、ケース本体６３の内部の温度制御を容易にすることができる。また、断熱材６６を破損しにくいものとすることができる。
【００６４】
（９）　上記第４実施形態の収納ケース６０では、断熱材６６がセラミックス材料で構成されている。このため、外部環境からケース本体６３の内部への熱伝達を効率よく抑制することができるだけでなく、収納ケース６０の軽量化と耐候性の向上を図ることができる。
【００６５】
（１０）　上記第４実施形態の収納ケース６０では、断熱材６６と補強材６７とが、その断熱材６６と補強材６７との熱膨張量の差を吸収可能な弾性に富む、例えばウレタン系の接着剤により接着されている。このため、外部環境に露出する断熱材６６とケース本体６３側の補強材６７との間に温度差が生じて、断熱材６６と補強材６７との間に熱膨張量の差を生じたとしても、遮熱板６４における熱歪みが吸収され、断熱材６６における損傷の発生を抑制することができる。
【００６６】
（１１）　上記第４実施形態の収納ケース６０では、隣接配置される遮熱板６４の間に、その遮熱板６４とケース本体６３の表面との間の隙間６５と、遮熱板６４の外部との空気の流通を許容する間隙６８が設けられている。このため、隙間６５内の空気の温度に応じて、遮熱板６４の内側の隙間６５と遮熱板６４の外部との間で空気の入れ換えを確保することができる。このため、ケース本体６３内の温度制御を容易に行うことができる。
【００６７】
（１２）　上記第４実施形態の収納ケース６０では、ケース本体６３の筐体７２における両側壁７２ａ及び背面壁７２ｂにケース本体６３内部で発生する熱を、そのケース本体６３の外部に放出する放熱フィン８４が設けられている。このため、簡単な構成でもってケース本体６３内で発生する熱を効率よく外部に放出することができ、ケース本体６３の機器収容室７０内がＡＤＳＬ信号分配装置１６の動作が不安定となる温度を超えて高められるのを抑制することができる。
【００６８】
（１３）　上記第４実施形態の収納ケース６０では、ケース本体６３の筐体７２の内部に、熱媒体８２が封入されている。この熱媒体８２は、収納ケース６０の設置される環境の温度状態とケース本体６３内部の温度状態とに応じて、ケース本体６３内の熱を外部に放出する放熱状態と、ケース本体６３内の熱の外部への放出を抑制する蓄熱状態とを制御する。このため、ケース本体６３の内部が発熱状態にあって外部の温度より高い場合には、ケース本体６３内の熱が外部に放出される。一方、冬場の寒冷地のように、外部の温度が氷点下であるような場合には、ケース本体６３の内部での発熱を、積極的にため込んで、ケース本体６３内をＡＤＳＬ信号分配装置１６の動作に適した温度範囲内に保つことができる。また、この構成によれば、ケース本体６３内のＡＤＳＬ信号分配装置１６の動作環境の保持のために電気エネルギを利用する必要がないため、経済的であるだけでなく、メンテナンス等の手間を省くことができる。
【００６９】
（１４）　上記第４実施形態の収納ケース６０では、ケース本体６３の筐体７２における両側壁７２ａ及び背面壁７２ｂに中空部８１が形成されている。そして、その中空部８１内に、３０℃以上では流動可能なゾル状態となり、１０℃以下では流動しないゲル状態となるアルコール系の高分子溶液からなる熱媒体８２が封入されている。しかも、この高分子溶液は、地球上で最も極寒環境を想定した−５０℃程度でも凍結することはないものとなっている。
【００７０】
このため、ケース本体６３内が発熱状態にあって、そのケース本体６３内の温度が外気温よりも高い状態では、高分子溶液はゾル状態となり、中空部８１内を盛んに対流することになる。そして、ケース本体６３内の熱は、筐体７２の両側壁７２ａ及び背面壁７２ｂの内表面から熱媒体８２を介して両側壁７２ａ及び背面壁７２ｂの外表面に効率よく伝達され、さらに放熱フィン８４を通して隙間６５内の空気へと放出される。これにより、地球上で最も酷暑環境を想定した５０℃程度の外気温下であっても、ケース本体６３内の熱を外部に効率よく放出することができる。従って、前記酷暑環境下であっても、機器収容室７０内の温度が８０℃を超えて高められることが抑制され、ＡＤＳＬ信号分配装置１６の動作が不安定となることがない。
【００７１】
一方、ケース本体６３内が発熱状態にあっても、冬場の寒冷地におけるような場合には、熱媒体８２は、筐体７２の中空部８１内でゲル化して流動しなくなる。このため、ケース本体６３内の熱が筐体７２の両側壁７２ａ及び背面壁７２ｂの内表面を介して外表面へ伝達されることが、熱媒体８２に遮断される。このため、ケース本体６３の機器収容室７０内の温度は、ＡＤＳＬ信号分配装置１６の各構成機器の発熱により高められ、ＡＤＳＬ信号分配装置１６の動作が不安定となることがない。また、このような低温状態において、ケース本体６３前面の蓋板７４からの若干の放熱は行われているとともに、熱媒体８２の温度が３０℃に達すると熱媒体８２の流動が始まるため、機器収容室７０内の温度が急激に上昇することはない。
【００７２】
このように、熱媒体８２のゾル−ゲル転移により、収納ケース６０の設置される環境の温度状態と、ケース本体６３内の温度状態とに応じて、放熱状態と蓄熱状態とが自動的に切り替えられる。従って、外部が、酷暑あるいは極寒のいずれの温度環境であったとしても、機器収容室７０内をＡＤＳＬ信号分配装置１６の各構成機器が安定して動作可能な状態することができる。
【００７３】
（１５）　ここで、熱媒体８２がゲル化する低温下では、筐体７２も脆化しやすくなる。これに対して、上記第４実施形態の収納ケース６０では、筐体７２の中空部８１の下方に開口断面積の大きな液溜まり部８３が形成されている。そして、中空部８１には、熱媒体８２がゲル化時の体積膨張を考慮して封入されている。このため、熱媒体８２がゲル化した状態で中空部８１内に完全に熱媒体８２が充填されて、筐体７２に想定外の応力が発生することを抑制することができる。従って、筐体７２の耐久性を向上することができる。
【００７４】
（１６）上記第４実施形態の収納ケース６０では、ケース本体６３の筐体７２において、ＡＤＳＬ信号分配装置１６の各機器を固定する固定面８５を有する背面壁７２ｂの外側面に、放熱室８８が設けられている。そして、その背面壁７２ｂに対向する放熱室８８の隔壁８９には、その下部と上部とに放熱室８８内外の空気の流通を許容する換気口９０が設けられている。このため、ＡＤＳＬ信号分配装置１６の各機器で発生した熱が、背面壁７２ｂを介して放熱室８８内の空気に伝達され、その放熱室８８内で空気の対流が発生する。この対流によって、放熱室８８の一面を区画する隔壁８９の下部に設けられた換気口９０を通して、放熱室８８の外部からほとんど加熱されていない外気が放熱室８８へと供給される。また、放熱室８８内で加熱された空気は、前記隔壁８９上部の換気口９０を通して放熱室８８の外部へと放出される。このため、ＡＤＳＬ信号分配装置１６の各構成機器で発生する熱を効率よく、機器収容室７０の外部に放出することができる。
【００７５】
（１７）上記第４実施形態の収納ケース６０では、放熱室８８に臨む背面壁７２ｂの外側面に、ケース本体６３の機器収容室７０内で発生した熱を放熱室８８内に放出する放熱フィン８４が形成されている。このため、ＡＤＳＬ信号分配装置１６の各機器で発生する熱を一層効率よく、機器収容室７０の外部に放出することができる。
【００７６】
（１８）上記第４実施形態の収納ケース６０では、ＡＤＳＬ信号分配装置１６の各機器とケース本体６３の固定面８５とに間に、炭素繊維シートからなる伝熱シート８６が前記各構成機器と固定面８５とに互いに接合するように介装されている。このため、前記各構成機器で発生する熱が、伝熱シート８６を介して直接しかも効率よく固定面８５に伝達される。このため、ＡＤＳＬ信号分配装置１６の各構成機器で発生する熱を一層効率よく、機器収容室７０の外部に放出することができる。
【００７７】
（１９）上記第４実施形態の収納ケース６０では、筐体７２前面の開口部７３と蓋板７４との隙間をシールするパッキン８０と、機器収容室７０の下部の隔壁に穿設された貫通孔７８の開口縁と内部信号線６１との間の隙間をシールするパッキン７９が設けられている。そして、これらパッキン８０，７９により、ケース本体６３における機器収容室７０内の気密性が保持されるようになっている。このため、機器収容室７０内を清浄でかつ安定な状態に保つことができて、ＡＤＳＬ信号分配装置１６の動作を安定させることができる。
【００７８】
（２０）上記第４実施形態の収納ケース６０では、ケース本体６３がＡＤＳＬ信号分配装置１６の各装置を収容する機器収容室７０と、端子台２６を収容する端子収容室７１とに区画されている。ここで、その端子台２６には、外部へと延びる第１及び第２分岐電話ケーブル１３ａ、１３ｂ、分岐光ケーブル１４ａ及び電源ケーブル３４と、機器収容室７０内の各構成機器に信号や電力を供給する内部信号線６１の一端が接続されている。このように、高い清浄性が要求される機器収容室７０と、メンテナンスの機会の比較的多い端子収容室７１とを、互いに独立した状態で形成することで、ＡＤＳＬ信号分配装置１６の信頼性とメンテナンスの容易性とを両立させることができる。
【００７９】
（２１）ユーザー宅の端末装置１７に、銅線回線を用いて、高周波のデジタルデータをＡＤＳＬ信号として伝送するＡＤＳＬ信号分配装置１６は、穏やかに制御された環境下に設置することが必要である。これに対して、上記第４実施形態の収納ケース６０は、前述のように簡単な構成で、しかもその内部の温度環境の制御を電気エネルギを直接的に用いることなく、設置環境の温度状態と内部に収容される構成機器の発熱とを利用して自動的に制御することができる。
【００８０】
従って、この収納ケース６０を利用すれば、従来電話局１１の局舎内に設置されていたＡＤＳＬ信号分配装置１６を、高温、低温、多湿、粉塵が多い等の過酷な環境下であっても、例えば電柱１５上に架設することができて、ユーザー宅の近所に設置することができる。従って、従来電話局１１との距離が５ｋｍ以上離れているために、ＡＤＳＬ方式のインターネット通信の恩恵を享受することのできなかったユーザー宅においても、ＡＤＳＬ信号の減衰を心配することなくＡＤＳＬ方式のインターネット通信を利用することができる。
【００８１】
しかも、この収納ケース６０とユーザー宅の端末装置１７との間は、従来より敷設されている第２分岐電話ケーブル１３ｂを用いて、高周波のデジタルデータをＡＤＳＬ信号として伝送することができる。このため、収納ケース６０とユーザー宅との間に新たなケーブルを敷設したり、ユーザー宅の宅内配線を変更したりする必要がなく、簡単な構成でＡＤＳＬ方式のインターネット通信のネットワークを大きく広げることができる。
【００８２】
（２２）上記第４実施形態の収納ケース６０内に収容したＡＤＳＬ信号分配装置１６を用いる通信システムでは、デジタルデータを、電話局１１との間で光ケーブル１４及び分岐光ケーブル１４’により伝送するとともに、ユーザー宅の端末装置１７との間で第２分岐電話ケーブル１３ｂにより伝送するようになっている。このため、大容量で高速のデジタルデータ通信を行うことができる。
【００８３】
（第５実施形態）
次に、本発明の通信システムにおいて、前記第４実施形態の収納ケース６０の一部を変更した第５実施形態について、図１７（ａ）及び（ｂ）に基づいて説明する。なお、前記各実施形態と、特に変更のない部分については、部材番号を引用して、詳細な説明を省略する。
【００８４】
図１７（ａ）に示すように、この第５実施形態では、間隙６８を介して隣接配置される遮熱板６４の少なくとも一方の端縁に、収納ケース６０の設置される環境の温度が所定温度以下となった時に、対向する遮熱板６４側に伸張して前記間隙６８を塞ぐ開閉部材１０１（調整手段）が設けられている。この開閉部材１０１は、例えば形状記憶合金、形状記憶樹脂、ベローズ等で構成され、前記所定温度を超える環境下では、図１７（ｂ）に示すように、取着されている遮熱板６４側に縮退するようになっている。このため、設置されている環境の温度が所定温度を超えている時には、前記間隙６８を介した遮熱板６４内外の空気の流通が許容される。これに対して、設置されている環境の温度が所定温度以下であるような場合には、開閉部材１０１により前記間隙６８を介した遮熱板６４内外の空気の流通が遮断される。
【００８５】
また、図１７（ａ）に示すように、ケース本体６３の機器収容室７０内には、機器収容室７０内に侵入した空気中の水分、汚染物質等の不純物を除去する除去手段としての不純物除去部材１０２が設けられている。ここで、不純物除去部材１０２として、シリカゲル、モレキュラシーブ等の乾燥剤を設けると、機器収容室７０内が乾燥した状態に保持され、ＡＤＳＬ信号分配装置１６の各構成機器の動作を一層安定させることができる。また、活性炭、ゼオライト等の汚染物質吸着剤を設けると、ＡＤＳＬ信号分配装置１６の各構成機器の耐久性を向上することができる。
【００８６】
従って、上記第５実施形態のインターネット通信システムによれば、以下のような特徴を得ることができる。
（２３）　上記第５実施形態の収納ケース６０では、設置される環境の温度に応じて、対向する遮熱板６４の間隙６８を開閉する開閉部材１０１が設けられている。このため、ケース本体６３内の熱を収納ケース６０の外部に放出する必要のある場合には、開閉部材１０１が間隙６８を開放し、遮熱板６４内部の熱が放出される。一方、ケース本体６３内に熱を蓄積する必要のある場合には、開閉部材１０１が間隙６８を遮蔽し、間隙６８を介した熱の放出が抑制される。従って、低温条件におけるケース本体６３内の保温性を向上させることができる。
【００８７】
（２４）　上記第５実施形態の収納ケース６０では、機器収容室７０内に侵入した空気中の不純物を除去する不純物除去部材１０２が設けられている。このため、ＡＤＳＬ信号分配装置１６の各構成機器の動作を一層安定させたり、ＡＤＳＬ信号分配装置１６の各構成機器の耐久性を向上させたりすることができる。
【００８８】
なお、前記各実施形態は以下のように変更してもよい。
○　前記各実施形態では電話局１１とＡＤＳＬ信号分配装置１６との間に配設された光ケーブル１４’を利用してデジタル信号を送受信するようにしたが、これに代えて同軸ケーブルを用いてもよい。
【００８９】
○　本発明は、前述した電話網とインターネット回線を有するＮＴＴ西日本又は東日本のインターネット通信システム以外に、電話網とインターネット回線を有する第１種の通信事業者のシステムに適用することもできる。
【００９０】
○　電柱以外に、地下埋設或いは地上に設置された中継局にＡＤＳＬ信号分配装置１６を配設してもよい。
○　本発明を、電話局１１とＡＤＳＬ信号分配装置１６の間、或いはＡＤＳＬ信号分配装置１６相互間に、光ケーブル１４’のみが敷設され、電話ケーブル１３’が敷設されていない通信ラインにおいて具体化してもよい。この場合、ＡＤＳＬ信号分配装置１６は、銅線回線の上流側の末端に配備されることになる。そして、電話網１０からの音声信号とインターネット回線を介したデジタルデータとは、ともに電話局１１から光ケーブル１４’を介してＡＤＳＬ信号分配装置１６に伝送される。ＡＤＳＬ信号分配装置１６において、音声信号とデジタルデータとを、ＡＤＳＬ信号に重畳させて、銅線回路をなす第１及び第２分岐電話ケーブル１３ａ、１３ｂを介してユーザ宅の端末装置１７へと伝送させる。
【００９１】
この場合、音声信号に基づく光信号とインターネット回線を通して伝送されたデジタルデータとを分割するスプリッタと、光化された音声信号を電気信号に変換するコンバータとを、ＡＤＳＬ信号分配装置１６に装備する必要がある。このようにすれば、市内交換機能を有する電話局１１とユーザー宅との距離が離れており、電話局とユーザー宅との間に通信中継局としての中継局を設けて、電話局と中継局との間で音声信号を光信号として伝送する光収容地域においても、各ユーザーがＡＤＳＬ方式のインターネット通信の恩恵を享受できる。
【００９２】
なお、本発明の前提となる構成は、電話局１１等の通信基地局または中継局等の通信中継局または電柱１５とユーザー宅の端末装置とが光ファイバ以外の銅線回線によって接続されていることである。
【００９３】
○　図４，５において、収納ケース３７の上部空間に対し、光成端箱２８、メディアコンバータ２９及びルータ３０等よりなる光ケーブル用の通信機器と、送受信機４７，４７Ａ，４７Ｂ等の無線用の通信機器とを選択的に取り換え可能に構成してもよい。この別例では、施工する地域の状況に応じてＡＤＳＬ信号分配装置１６に組み込む通信機器の取り換えを容易に行うことができる。
【００９４】
○　収納ケース６０の機器収容室７０に対し、光成端箱２８、メディアコンバータ２９及びルータ３０等よりなる光ケーブル用の通信機器と、送受信機等の無線用の通信機器とを選択的に取り換え可能に構成してもよい。この場合、施工する地域の状況に応じてＡＤＳＬ信号分配装置１６に組み込む通信機器の取り換えを容易に行うことができる。
【００９５】
○　電話局１１とＡＤＳＬ信号分配装置１６との間、ＡＤＳＬ信号分配装置１６相互間に心線の太い銅線ケーブルが敷設されている場合には、この心線の太い銅線ケーブルを利用してデジタルデータを伝送するようにしてもよい。
【００９６】
○　このＡＤＳＬ信号分配装置１６を移動電話網に接続して、音声信号及びデジタルデータをユーザー宅に伝送するようにしてもよい。
○　このＡＤＳＬ信号分配装置１６を、インターネット電話（ＩＰ（インターネット・プロトコール）電話）網に接続して、音声信号をユーザー宅に伝送するようにしてもよい。
【００９７】
○　本発明の適用できるｘＤＳＬとしては、ＲＡＤＳＬ（Ｒａｔｅ・Ａｄａｐｔｉｖｅ・Ｄｉｇｉｔａｌ・Ｓｕｂｓｃｒｉｂｅｒ・Ｌｉｎｅ）、ＨＤＳＬ（Ｈｉｇｈ・Ｄａｔａ　ｒａｔｅ・Ｄｉｇｉｔａｌ・Ｓｕｂｓｃｒｉｂｅｒ・Ｌｉｎｅ）、ＳＤＳＬ（Ｓｙｍｍｅｔｒｉｃ・Ｄｉｇｉｔａｌ・Ｓｕｂｓｃｒｉｂｅｒ・Ｌｉｎｅ）、ＶＤＳＬ（Ｖｅｒｙ・Ｈｉｇｈ・Ｓｐｅｅｄ・Ｄｉｇｉｔａｌ・Ｓｕｂｓｃｒｉｂｅｒ・Ｌｉｎｅ）等がある。
【００９８】
次に、前記実施形態からさらに把握される技術思想について以下に説明する。
（技術思想１）　請求項３〜５のいずれか一項において、前記収納ケースの背面には換気装置が配設されている通信システム。
【００９９】
（技術思想２）　請求項３〜５のいずれか一項において、前記端子台にはミキサーが埋設され、該端子台には第１分岐電話ケーブル及び第２分岐電話ケーブルを接続する第１及び第２端子挿入孔と、集合型ｘＤＳＬモデムに接続される第３端子挿入孔とが設けられ、端子台には第１及び第２係合凹部が所定の間隔をおいて複数箇所に形成され、前記第１係合凹部はリード線によって第３端子挿入孔と接続され、第２係合凹部はリード線によって前記ミキサーと接続され、前記両係合凹部にはスイッチが係合又は離脱可能に設けられている通信システム。
【０１００】
この技術思想２ではｘＤＳＬ信号分配装置の小型化を図ることができる。
（技術思想３）　請求項８において、前記収納ケースの設置される環境の温度状態に応じて、前記換気手段による空気の流通を抑制または遮断する調整手段を設けた通信システム。
【０１０１】
（技術思想４）　前記技術思想３において、前記調整手段は、前記収納ケースの設置される環境の温度状態に応じて、変位する形状記憶材料からなる通信ケース。
【０１０２】
（技術思想５）　請求項９において、前記放熱手段は、前記ケース本体の表面の少なくとも一部に突設されたフィンを含む通信システム。
（技術思想６）　請求項１０において、前記熱移動制御手段は、前記ケース本体を構成する筐体の少なくとも一部に形成された中空部と、その中空部に封入され、前記収納ケースの設置される環境の温度状態と前記ケース本体内部の温度状態とに応じて流動可能な流動相と形態を保持する凝固相との間で相転移を生じる封入媒体とを含む通信システム。
【０１０３】
（技術思想７）　前記技術思想６において、前記封入媒体は、前記収納ケースの設置される環境の温度状態と前記ケース本体内部の温度状態とに応じてゾル−ゲル転移を生じる高分子化合物溶液からなる通信システム。
【０１０４】
（技術思想８）　請求項１１において、前記固定面には、前記ケース本体内で発生する熱を前記固定面に伝達する熱伝達部材を接合させた通信システム。
（技術思想９）　前記技術思想８において、前記熱伝達部材が、炭素繊維シートからなる通信システム。
【０１０５】
（技術思想１０）　請求項１１において、前記放熱室に臨む前記固定面の外側面に、ケース本体内で発生する熱を、そのケース本体の外部に放出する放熱手段を設けた通信システム。
【０１０６】
（技術思想１１）　前記技術思想１０において、前記放熱手段は、前記固定面の外表面の少なくとも一部に突設されたフィンを含む通信システム。
（技術思想１２）　請求項７〜１３のいずれか一項において、前記遮熱板は、断熱材とその断熱材の強度を補うための補強材とを有する通信システム。
【０１０７】
（技術思想１３）　前記技術思想１２において、前記断熱材がセラミックス材料からなる通信システム。
（技術思想１４）　前記技術思想１２または技術思想１３において、前記断熱材と前記補強材との間に、その断熱材と補強材との熱膨張量の差を吸収する熱歪み吸収手段を設けた通信システム。
【０１０８】
【発明の効果】
以上詳述したように、この発明は電話局等の通信局からユーザー宅の端末装置までの銅線回線の距離が３〜５キロメートル以上の場合でもｘＤＳＬに用いる高周波のデジタルデータの送受信を行うことができる。
【図面の簡単な説明】
【図１】第１実施形態のインターネット通信システムの略体回路図。
【図２】電柱とＡＤＳＬ信号分配装置及び端末装置との関係を示す略体正面図。
【図３】ＡＤＳＬ信号分配装置の略体回路図。
【図４】ＡＤＳＬ信号分配装置の略体正面図。
【図５】ＡＤＳＬ信号分配装置の略体側面図。
【図６】第２実施形態の別例を示す略体回路図。
【図７】第２実施形態の末端局を示す略体回路図。
【図８】第３実施形態の端子台を示す正面図。
【図９】図８の端子台の一部省略平面図。
【図１０】図８の端子台の右側面図。
【図１１】第４実施形態の通信システムの概略回路図。
【図１２】図１１のＡＤＳＬ信号分配装置の正面図。
【図１３】図１１のＡＤＳＬ信号分配装置の側面図。
【図１４】図１３の１４−１４線断面図。
【図１５】図１２の１５−１５線断面図。
【図１６】図１４の１６−１６線断面図。
【図１７】別例のＡＤＳＬ信号分配装置の、（ａ）は開閉部材が閉じた状態を、（ｂ）は開閉部材が開いた状態を示す断面図。
【図１８】従来のインターネット通信システムの略体回路図。
【図１９】図１８の電柱及び電柱から分岐接続されたユーザー宅の端末装置を示す略体回路図。
【符号の説明】１０…電話網、１１…通信基地局としての電話局、１３…銅線回線としての電話ケーブル、１３ａ…銅線回線としての第１分岐電話ケーブル、１３ｂ…銅線回線としての第２分岐電話ケーブル、１４…光ケーブル、１４ａ…分岐光ケーブル、１５…電柱、１６…ＡＤＳＬ信号分配装置、１７…端末装置、２６…端子台、２８…光成端箱、２９…メディアコンバータ、３０…ルータ、３２…ミキサー、３３…電源ユニット、３４…電源ケーブル、３７，６０…収納ケース、４２…電話機、４５…無線通信装置、６３…ケース本体、６４…遮熱板、６５…隙間、６８…換気手段としての間隙、７９，８０…気密保持手段としてのパッキン、８１…熱移動制御手段の一部を構成する中空部、８２…熱移動制御手段の一部を構成し封入媒体をなす熱媒体、８４…放熱手段としての放熱フィン、８５…固定面、８６…熱伝達部材としての伝熱シート、８８…放熱室、８９…隔壁、９０…換気口、１０２…除去手段としての不純物除去部材。
【図１】
2004088727.tif 000003
【図２】
2004088727.tif 000004
【図３】
2004088727.tif 000005
【図４】
2004088727.tif 000006
【図５】
2004088727.tif 000007
【図６】
2004088727.tif 000008
【図７】
2004088727.tif 000009
【図８】
2004088727.tif 000010
【図９】
2004088727.tif 000011
【図１０】
2004088727.tif 000012
【図１１】
2004088727.tif 000013
【図１２】
2004088727.tif 000014
【図１３】
2004088727.tif 000015
【図１４】
2004088727.tif 000016
【図１５】
2004088727.tif 000017
【図１６】
2004088727.tif 000018
【図１７】
2004088727.tif 000019
【図１８】
2004088727.tif 000020
【図１９】
2004088727.tif 000021